(57)【要約】【課題】遅滞なく情報を伝達する。【解決手段】親局送信所は、信号を多重してＯＦＤＭフレーム形式にして出力する際に、ＴＭＣＣ信号と受信端末での復調時に位相及び周波数補正に使用する信号であるパイロット信号とを生成し、該パイロット信号の振幅を増加させて緊急信号として出力する変調器１を備え、前記中継送信所は、前記ＴＭＣＣ信号と前記パイロット信号との出力を比較し、前記ＴＭＣＣ信号と前記パイロット信号との出力に差がある場合、パイロット信号の振幅を増加させる振幅調整を行う補償器５を備え、受信端末は、ＴＭＣＣ信号とパイロット信号との出力に差がある場合、緊急情報が伝送されていると判別する受信機８Ａ、８Ｂと、このパイロット信号を前記緊急情報として出力する受像機９Ａ、９Ｂと、を備え、補償器５は、外部から別途緊急情報が入力されると、パイロット信号の振幅を増加させて緊急情報が含まれた信号を出力する。【選択図】図１
2010206485.tif 000002
【特許請求の範囲】
【請求項１】
親局送信所、中継送信所及び受信端末を有する地上デジタル放送網で緊急情報を伝送する緊急情報の追加伝達システムであって、
前記親局送信所は、信号を多重してＯＦＤＭ（Orthogonal Frequency Division Multiplexing）フレーム形式にして出力する際に、伝送制御情報（ＴＭＣＣ：Transmission and Multiplexing Configuration Control）信号と前記受信端末での復調時に位相及び周波数補正に使用する信号であるパイロット信号とを生成し、該パイロット信号の振幅を増加させて緊急信号として出力する変調器を備え、
前記中継送信所は、前記ＴＭＣＣ信号と前記パイロット信号との出力を比較し、前記ＴＭＣＣ信号と前記パイロット信号との出力に差がある場合、前記緊急情報が伝送されていると判別して前記パイロット信号の振幅を増加させる振幅調整を行う補償器を備え、
前記受信端末は、
前記ＴＭＣＣ信号と前記パイロット信号との出力を比較し、前記ＴＭＣＣ信号と前記パイロット信号との出力に差がある場合、前記緊急情報が伝送されていると判別する受信機と、
前記緊急信号が伝送されていると判別された場合に、前記パイロット信号を前記緊急情報として出力する受像機と、
を備え、
前記補償器は、外部から別途緊急情報が入力されると、前記パイロット信号の振幅を増加させる振幅調製を行って該緊急情報が含まれた信号を出力することを特徴とする緊急情報の追加伝達システム。
【請求項２】
前記補償器は、補償処理を行う前に、前記ＴＭＣＣ信号と前記パイロット信号との出力を比較し、前記ＴＭＣＣ信号と前記パイロット信号との出力に差がある場合、又は外部から別途緊急信号が入力された場合に、前記パイロット信号の振幅を増加させる振幅調整を行うことを特徴とする請求項１に記載の緊急情報の追加伝達システム。
【請求項３】
前記変調器は、前記パイロット信号の振幅レベルのみを一律に増加することを特徴とする請求項１又は２に記載の緊急情報の追加伝達システム。
【請求項４】
親局送信所、中継送信所及び受信端末を有する地上デジタル放送網で緊急情報を伝送する緊急情報の追加伝達の方法であって、
前記親局送信所が、信号を多重してＯＦＤＭ（Orthogonal Frequency Division Multiplexing）フレーム形式にして出力する際に、伝送制御情報（ＴＭＣＣ：Transmission and Multiplexing Configuration Control）信号と前記受信端末での復調時に位相及び周波数補正に使用する信号であるパイロット信号とを生成する手順と、
前記親局送信所が、該パイロット信号の振幅を増加させて緊急信号として出力する手順と、
前記中継送信所が、前記ＴＭＣＣ信号と前記パイロット信号との出力を比較し、前記ＴＭＣＣ信号と前記パイロット信号との出力に差がある場合、前記緊急情報が伝送されていると判別して前記パイロット信号の振幅を増加させる振幅調整を行う手順と、
前記中継送信所が、外部から別途緊急情報が入力された場合に、前記パイロット信号の振幅を増加させる振幅調製を行って該緊急情報が含まれた信号を出力する手順と、
前記受信端末が、前記ＴＭＣＣ信号と前記パイロット信号との出力を比較し、前記ＴＭＣＣ信号と前記パイロット信号との出力に差がある場合、前記緊急情報が伝送されていると判別する手順と、
を備えることを特徴とする緊急情報の追加伝達の方法。
【請求項５】
前記中継所が、補償処理を行う前に、前記ＴＭＣＣ信号と前記パイロット信号との出力を比較し、前記ＴＭＣＣ信号と前記パイロット信号との出力に差がある場合、又は外部から別途緊急信号が入力された場合に、前記パイロット信号の振幅を増加させる振幅調整を行うことを特徴とする請求項４に記載の緊急情報の追加伝達の方法。
【請求項６】
前記親局送信所が、該パイロット信号の振幅を増加させて緊急信号として出力する手順は、前記パイロット信号の振幅レベルのみを一律に増加させることを特徴とする請求項４又は５に記載の緊急情報の追加伝達の方法。
【発明の詳細な説明】
【技術分野】
【０００１】
本発明は、地上デジタル放送網で緊急情報を伝送する緊急情報の追加伝達システム及びその方法に関する。
【背景技術】
【０００２】
地上デジタル放送では、現在、大規模地震が想定される東海地震や津波警報が発令されるような大災害が予測される状況になると、緊急警報信号を放送波に多重して伝送している。又、震度５弱以上の地震が想定されるＰ波を受け取った場合には、緊急地震速報を放送波に乗せている。
【０００３】
その他、特許文献１には、無線通信による地域防災告知システムに係る発明が開示されている。
【先行技術文献】
【特許文献】
【０００４】
【特許文献１】特開２００８−２９９５９７号公報
【発明の概要】
【発明が解決しようとする課題】
【０００５】
しかしながら、震源地や海岸線等の問題発生要因に近い場所では、予想情報が発生時刻までに間に合わないことが問題となっている。
【０００６】
地上デジタル放送では、緊急情報は緊急警報信号と緊急地震速報の二つがある。どちらも、同情報の伝送に大きな遅延が発生すると問題発生までに情報が伝わらず、大きな被害につながる可能性がある。
【０００７】
現在、特に問題になっているのは緊急地震速報で、同情報は映像キャリア信号に情報を乗せているため、地上デジタル放送の方式では映像信号の変復調や、時間インターリーブ等の信号処理の処理時間が原因で視聴者への伝達が数秒遅延している。一方、放送形式として多段中継を行うことがあるが、後段中継局での情報伝達の遅延や事故による情報の遮断等の影響があり、これらの影響を軽減する必要がある。
【０００８】
本発明は上記に鑑みてなされたもので、多段中継のため伝送遅延が大幅に発生するような場合でも、遅滞なく情報を伝達できる緊急情報の追加伝達システム及びその方法を提供することを目的とする。
【課題を解決するための手段】
【０００９】
上述の問題を解決するため、本発明に係る緊急情報の追加伝達システムは、親局送信所、中継送信所及び受信端末を有する地上デジタル放送網で緊急情報を伝送する緊急情報の追加伝達システムであって、前記親局送信所は、信号を多重してＯＦＤＭ（Orthogonal Frequency Division Multiplexing）フレーム形式にして出力する際に、伝送制御情報（ＴＭＣＣ：Transmission and Multiplexing Configuration Control）信号と前記受信端末での復調時に位相及び周波数補正に使用する信号であるパイロット信号とを生成し、該パイロット信号の振幅を増加させて緊急信号として出力する変調器を備え、前記中継送信所は、前記ＴＭＣＣ信号と前記パイロット信号との出力を比較し、前記ＴＭＣＣ信号と前記パイロット信号との出力に差がある場合、前記緊急情報が伝送されていると判別して前記パイロット信号の振幅を増加させる振幅調整を行う補償器を備え、前記受信端末は、前記ＴＭＣＣ信号と前記パイロット信号との出力を比較し、前記ＴＭＣＣ信号と前記パイロット信号との出力に差がある場合、前記緊急情報が伝送されていると判別する受信機と、前記緊急信号が伝送されていると判別された場合に、前記パイロット信号を前記緊急情報として出力する受像機と、を備え、前記補償器は、外部から別途緊急情報が入力されると、前記パイロット信号の振幅を増加させる振幅調製を行って該緊急情報が含まれた信号を出力することを特徴とする。
【００１０】
上述の問題を解決するため、本発明に係る緊急情報の追加伝達の方法は、親局送信所、中継送信所及び受信端末を有する地上デジタル放送網で緊急情報を伝送する緊急情報の追加伝達の方法であって、前記親局送信所が、信号を多重してＯＦＤＭ（Orthogonal Frequency Division Multiplexing）フレーム形式にして出力する際に、伝送制御情報（ＴＭＣＣ：Transmission and Multiplexing Configuration Control）信号と前記受信端末での復調時に位相及び周波数補正に使用する信号であるパイロット信号とを生成する手順と、前記親局送信所が、該パイロット信号の振幅を増加させて緊急信号として出力する手順と、前記中継送信所が、前記ＴＭＣＣ信号と前記パイロット信号との出力を比較し、前記ＴＭＣＣ信号と前記パイロット信号との出力に差がある場合、前記緊急情報が伝送されていると判別して前記パイロット信号の振幅を増加させる振幅調整を行う手順と、前記中継送信所が、外部から別途緊急情報が入力された場合に、前記パイロット信号の振幅を増加させる振幅調製を行って該緊急情報が含まれた信号を出力する手順と、前記受信端末が、前記ＴＭＣＣ信号と前記パイロット信号との出力を比較し、前記ＴＭＣＣ信号と前記パイロット信号との出力に差がある場合、前記緊急情報が伝送されていると判別する手順と、を備えることを特徴とする。
【発明の効果】
【００１１】
以上説明したように、本発明によれば、パイロット信号の振幅を増加させて緊急信号として出力することにより、多段中継のため伝送遅延が大幅に発生するような場合でも、遅滞なく情報を伝達できる緊急情報の追加伝達システム及びその方法を提供することができる。
【図面の簡単な説明】
【００１２】
【図１】本発明に係る実施の形態の装置系統図（放送波中継の場合）を示す図である。
【図２】本発明に係る実施の形態の変調器の伝送路符号化部の系統図である。
【図３】本発明に係る実施の形態の変調器での処理の流れを示すフローチャートである。
【図４】標準の放送波のスペクトラムの概形を示す図である。
【図５】本発明に係る実施の形態を適応した場合のスペクトラムの概形を示す図である。
【図６】本発明に係る実施の形態の受信機の処理の系統図（一部）である。
【図７】本発明に係る実施の形態の受信機での処理を示すフローチャートである。
【図８】本発明に係る実施の形態の補償器での追加処理の系統図である。
【図９】本発明に係る実施の形態の補償器での本発明のフローチャートである。
【発明を実施するための形態】
【００１３】
以下、図面を参照しながら、本発明の実施の形態について詳細に説明する。ここで、図１は、本発明に係る実施の形態の装置系統図（放送波中継の場合）を示す図である。
【００１４】
この図１によると、地上デジタル放送では、放送局からＴＳ（Transport Stream）信号が親局送信所に入力される。親局送信所では、変調器１が、入力されるＴＳより、映像キャリア信号の変調と信号処理、及び伝送制御情報（ＴＭＣＣ：Transmission and Multiplexing Configuration Control）やＡＣ（Auxiliary Channel）とその他の伝送情報に切り分け各部分を生成、変調を行い、各信号を多重してＯＦＤＭ（Orthogonal Frequency Division Multiplexing）フレーム形式にして出力する。
【００１５】
本発明の実施の形態では、各種緊急情報を検知できた場合、変調器１にて生成するパイロット信号の振幅を意図的に変更させて（例えば、振幅を増加させ）、緊急情報として出力するようにした。この場合、ＯＦＤＭ形式を崩さずにそのまま送信することとする。ここで、パイロット信号とは主に受信機にて復調時、位相、周波数補正に使用する信号である。この信号を本来の受信機にてそのままでも補正できるようであれば、検知さえ出来れば、振幅方向には処理を行うことができる。
【００１６】
ここで、図２は本発明に係る実施の形態の変調器の伝送路符号化部の系統図である。この図２では、通常のＯＦＤＭ形式の出力に係るＴＳ再多重部１０１、外符号１０２、階層分割１０３、階層毎の信号処理１０４、階層合成１０５、時間インターリーブ１０６、周波数インターリーブ１０７、ＯＦＤＭフレーム構成１０８、ＩＦＦＴ１０９及びガードインターバル付加１１０を備える。
【００１７】
本発明の実施の形態の変調器１は、これらの構成に加えて、ＴＳ再多重部１０１から分岐する緊急情報検知１１１、パイロット信号１１２又はＴＭＣＣ信号１１３を経由して、ＯＦＤＭフレーム構成１０８に合流する系統が存在する。
【００１８】
親局送信所では、この後励振器２にて、生成したＯＦＤＭ信号を放送周波数に周波数変換を行い、電力増幅３にて規定出力に信号増幅を行い、アンテナ１０から放送波として出力する。
【００１９】
この放送波を受信端末はアンテナ１３Ａ又はアンテナ１３Ｂで受信する。この受信端末は、受信機８Ａと受像機９Ａと、又は受信機８Ｂと受像機９ｂと、をそれぞれ有する。
【００２０】
例えば、アンテナ１３Ａにて受け取った放送波は受信機８Ａに入力される。入力された信号の復調処理として高速フーリエ変換（ＦＦＴ）の処理を行った後に、パイロット成分を分け、その振幅を検知することで緊急情報の有無を検知することが可能となる。
【００２１】
振幅レベルの確認により緊急情報の発生が認められる場合は、パイロット成分の信号を受像機９Ａに出力し、映像処理とは別回路にてランプもしくは音声（ブザー）等で緊急情報発生を知らせるようにすることでその情報を即座に知らせることが出来る。伝送されてきたパイロット信号は周波数、位相情報は変更せず、相対振幅レベルが増えた形になるだけであるので、従来のパイロット信号の役割を使用しつつ、その振幅レベルの検波回路を追加することで緊急情報の有無に使用することができる。
【００２２】
一方、放送形式としては中継局を使用しての多段中継を行う場合がある。このとき、中継局の装置にはパイロット信号の振幅を利用して等化処理等の補償処理を行う補償器５がオプションとして含まれていることが考えられる。この場合、補償器の仕様によっては、変調器にて変動させたパイロット信号の振幅にて誤作動する、又は変動させたパイロット信号の振幅を従来の値に戻す可能性が考えられる。例えば、信号中に含まれるパイロット信号の振幅と位相を等化する等化処理では、そうした問題点が顕在化する。
【００２３】
従って、本発明の実施の形態では、必要に応じて補償器５で補償処理行う前に、パイロット信号の振幅を検知することにより緊急情報が伝送されているかを判別し、補償処理の前でパイロット信号の振幅調整を行う必要がある。又、補償器５の出力にてパイロット信号の振幅を増加させたものを出力する必要もある。
【００２４】
本発明の実施の形態では、パイロット信号の振幅を増加させる回路の追加が必要であるが、この回路が追加されていると、補償器５に緊急情報の外部入力を追加することができる。外部入力が入力されると、補償器５の出力にてパイロット信号の振幅を増加させる処理を、上位局送信機を介さず行うことが可能になる。又、補償器５の部分の前段でのパイロット信号の振幅検知・修正と、補償器５の部分の後段での振幅再変更と、を補償処理を介さず直接行うことが出来る。これにより多段中継の場合に発生する伝送遅延や補償器による処理遅延を減らすことが出来る。
【００２５】
この場合も、アンテナ１３Ｂにて受け取った放送波は受信機８Ｂに入力される。入力された信号の復調処理として高速フーリエ変換（ＦＦＴ）の処理を行った後に、パイロット成分を分け、その振幅を検知することで緊急情報の有無を検知することが可能となる。
【００２６】
振幅レベルの確認により緊急情報の発生が認められる場合は、パイロット成分の信号を受像機９Ｂに出力する。
【００２７】
［実施の形態の構成］
本発明の実施の形態では、緊急情報のうち、緊急警報信号は、伝送制御情報（ＴＭＣＣ：Transmission and Multiplexing Configuration Control）の中に緊急警報信号用のフラグを多重して伝送している。一方、緊急地震速報は、テロップと同様に、映像信号に情報を乗せて伝送している。
【００２８】
なお、緊急地震速報情報も、現在リザーブとなっているＴＭＣＣの空き部分やオプション扱いとなっているＡＣに乗せれば良い。送信所からの放送波情報を従来と変えたくないのであれば、ＴＳにおける１つのＯＦＤＭ（Orthogonal Frequency Division Multiplexing）フレームに含まれるＡＣの情報量をマッピング可能なビット数以上にし、破棄される分に同情報を乗せるということも可能である。
【００２９】
［実施の形態の動作の説明］
本発明の実施の形態では、親局送信所の変調器１にて図３の処理を行う。ここで、図３は、本発明に係る実施の形態の変調器での処理の流れを示すフローチャートである。
【００３０】
まず、放送局から入力されるＴＳデータより緊急情報を検知する（ステップＦ００１）。なお、緊急情報のうち、緊急警報信号は、伝送制御情報（ＴＭＣＣ：Transmission and Multiplexing Configuration Control）の中に緊急警報信号用のフラグを多重して伝送している。一方、緊急地震速報は、テロップと同様に、映像信号に情報を乗せて伝送している。
【００３１】
次に、検知した緊急情報の有無判断し（ステップＦ００２）、パイロット信号の生成回路にて緊急情報を多重する処理を行う。本実施の形態では、追加伝送する緊急情報の信号は１ビット信号として取り扱う。そのため、パイロット信号の出力ビットの座標を変更する。
【００３２】
通常仕様の場合（ステップＦ００２：ＮＯ）、地上デジタル放送のパイロット信号はＷｉ（０）＝（＋４／３，０）、Ｗｉ（１）＝（−４／３，０）  を基準としてＢＰＳＫ（Binary Phase Shift Keying）変調を施した信号であるが（ステップＦ００４）、緊急情報が入力されたときは（ステップＦ００２：ＹＥＳ）、Ｗｉ（０）＝（＋８／３，０）、Ｗｉ（１）＝（−８／３，０）を基準としてＢＰＳＫ変調を行う（ステップＦ００３）。
【００３３】
このときのパイロット信号は振幅レベルを一律変更（増加）したのみで、周波数、位相成分を変更していない。この回路より生成したパイロット信号をＯＦＤＭフレーム構成に含めて送出すると、変調器出力の出力波形は、通常は図４のようなスペクトラム波形なのに対し、本発明に係る実施の形態では、図５のようにパイロット成分がキャリア成分から飛び出る形の波形となる。
【００３４】
ここで、図６は、本発明に係る実施の形態の受信機８Ａ、８Ｂの処理の系統図（一部）である。この図６によると、受信機８Ａ、８Ｂは、通常の受信機と同様に、アンテナ２００１、ＩＦ回路２０３、直交復調２０６、ＦＦＴ（Fast Fourier transform）２０７、キャリア復調２０８等を介して階層合成２１９に至る系統の他に、直交復調２０６又はＦＦＴ２０７から分岐して、パイロット信号レベル検知２１８、緊急情報出力２１７を介してキャリア復調２０８に戻る系統を有する。
【００３５】
処理の系統が図６である受信機８Ａ、８Ｂでは、信号を受信すると図７の処理を行う。ここで、図７は、本発明に係る実施の形態の受信機８Ａ、８Ｂでの処理を示すフローチャートである。
【００３６】
図７によると、本発明に係る実施の形態の受信機８Ａ、８Ｂは、図６での直交復調２０６、ＦＦＴ２０７までは通常の復調処理を行う（ステップＦ１０１）。
【００３７】
ＦＦＴ２０７での処理後、パイロット信号成分を分離させてその振幅を検知する（ステップＦ１０２）。この振幅レベルの基準からの増減を検知することで緊急情報を取り出すことが出来るが、パイロット信号のみを検証するのでは基準情報がないため、確認することが出来ない。今回はその基準としてＴＭＣＣの情報を使用することにした。そのため、ＴＭＣＣ信号をキャリア信号としてその振幅を検知する（ステップＦ１０３）。
【００３８】
次いで、キャリア信号とパイロット信号との出力を比較する（ステップＦ１０４）。ＴＭＣＣはＤＰＢＳＫ変調のため若干パイロット信号と異なるが、その基準信号は通常のパイロット信号と同じくＷｉ（０）＝（＋４／３，０）、Ｗｉ（１）＝（−４／３，０）であるため、復調後の振幅情報を比較することで容易に緊急情報の有無を確認することが出来る。
【００３９】
キャリア信号とパイロット信号との出力に差がある場合、取得した緊急情報は１ビット信号である。それを受信機８Ａ、Ｂ又は受像機９Ａ、Ｂにて視聴者に分かるよう、同信号をフラグにしてＬＥＤやブザー、もしくは規定映像信号の出力等を行う必要がある（ステップＦ１０５）。
【００４０】
一方で、キャリア信号とパイロット信号との出力に差がない場合は、そのまま処理を終了する。
【００４１】
なお、直交変復調、及びＦＦＴ／ＩＦＦＴ（逆高速フーリエ変換：Inverse FFT）等の処理は、時間インターリーブ／デインターリーブ等の信号処理に比べ、処理時間が短いため、これにより処理遅延は大幅に減らすことが可能になる。
【００４２】
中継局による多段中継を行う場合、補償器５がない場合は、周波数変換及び電力増幅のみであるため、パイロット信号の振幅成分の処理は一切行われず、又、装置遅延もごく短いため本実施の形態からは除外して考える。一方、補償器５がある場合、本発明のパイロット信号の振幅変更が補償処理で悪影響を及ぼす可能性があるため、それを修正する必要がある。
【００４３】
そのため、図８に示したような追加処理を行う。ここで、図８は、本発明に係る実施の形態の補償器５での追加処理の系統図である。
【００４４】
図６では、従来入力による補償処理３０１とは別に、パイロット信号修正３０２、パイロット信号再調整３０３、直交復調３０４、ＦＦＴ３０５、ＴＭＣＣ復号３０６、パイロット信号レベル検知３０７及び緊急情報出力３０８を備えた追加処理の系統を有する。
【００４５】
この追加処理では、緊急情報の遅延時間短縮のため図９の処理を行う。ここで、図９は、本発明に係る実施の形態の補償器５での本発明のフローチャートである。
【００４６】
まず、信号を復調し（ステップＦ２０１）、パイロット信号とＴＭＣＣ信号の振幅を比較する処理までは受信機の処理と同じである（図８の３０４〜３０７、ステップＦ２０２〜Ｆ２０４）。
【００４７】
次いで、ＴＭＣＣ信号とパイロット信号との出力を比較する（ステップＦ２０４）。
【００４８】
ＴＭＣＣ信号とパイロット信号との出力に差がある場合、手順はステップＦ２０６に移行する。
【００４９】
ＴＭＣＣ信号とパイロット信号との出力に差がある場合、手順はステップＦ２０５に移行するが、図８のように緊急情報の検出の箇所に、緊急情報の外部入力の回路を追加することで、上位局送信所を介さず、緊急情報の伝送が可能になる（図８の３０８）。
【００５０】
ステップＦ２０５で外部からの緊急情報の入力があった場合は、手順はステップＦ２０６に移行する。
【００５１】
緊急情報を取得した場合は（ステップＦ２０６）、後段の補償処理の仕様に応じ、入力のパイロット信号の振幅を従来のものに戻す必要がある（図８の３０２、ステップＦ２０７）。
【００５２】
一方で、本発明に係る実施の形態では補償処理を介さず、パイロット信号の振幅成分を処理しているため、緊急情報の検知と同時に（ステップＦ２０８）、出力信号内のパイロット信号の振幅を調整することで（図８の３０３、ステップＦ２０９）、パイロット信号の処理時間は必要であるが、補償処理（図８の３０１）によらず外部に緊急情報が含まれた信号を出力することが可能になる。
【００５３】
このパイロット信号の振幅調製は、前述の親局送信所と同様に、パイロット信号の振幅を増加させて緊急信号として出力する。
【００５４】
又、本発明は、上記の実施の形態にある地上デジタル放送に限定されるものではなく、パイロット信号を使用して同期制御を行い、信号処理に時間がかかる伝送形式ならば、同様の活用をすることができる。
【００５５】
なお、本発明は、装置の発明のみならず、方法の発明としても実施できる。
【産業上の利用可能性】
【００５６】
本発明は、パイロット信号にて同期調整を行い、緊急情報を伝送する方式全般に利用することができる。
【符号の説明】
【００５７】
１  変調器
２  励振器
３  電力増幅
４  受信変換
５  補償器
６  送信変換
７  電力増幅
８Ａ、８Ｂ  受信機
９Ａ、９Ｂ  受像器
１０、１１、１２、１３Ａ、１３Ｂ  アンテナ
１０１  ＴＳ再多重部
１０２  外符号
１０３  階層分割
１０４  階層毎の信号処理
１０５  階層合成
１０６  時間インターリーブ
１０７  周波数インターリーブ
１０８  ＯＦＤＭフレーム構成
１０９  ＩＦＦＴ
１１０  ガードインターバル付加
１１１  緊急情報検知
１１２  パイロット信号
１１３  ＴＭＣＣ信号
２０１  アンテナ
２０３  ＩＦ回路
２０５  Ａ／Ｄ
２０６  直交復調
２０７  ＦＦＴ
２０８  キャリア復調
２０９  フレーム抽出
２１０  同期再生
２１１  ＴＭＣＣ復号
２１２  周波数デインターリーブ
２１３  時間デインターリーブ
２１４  デマッピング
２１５  階層分別
２１６  階層毎の信号処理
２１７  緊急情報出力
２１８  パイロット信号レベル検知
２１９  階層合成
３０１  補償処理
３０２  パイロット信号修正
３０３  パイロット信号再調整
３０４  直交復調
３０５  ＦＦＴ
３０６  ＴＭＣＣ復号
３０７  パイロット信号レベル検知
３０８  緊急情報出力
【図１】
2010206485.tif 000003
【図２】
2010206485.tif 000004
【図３】
2010206485.tif 000005
【図４】
2010206485.tif 000006
【図５】
2010206485.tif 000007
【図６】
2010206485.tif 000008
【図７】
2010206485.tif 000009
【図８】
2010206485.tif 000010
【図９】
2010206485.tif 000011